(57)【特許請求の範囲】
【請求項１】
長さ調節が可能なブレスレット又はリストバンドにおいて、
（Ａ）  第１リンク（３８）と、
前記第１リンクは、取り付け第１固定ポイント（４８）と取り付け第２固定ポイント（５４）とを規定する２個の端部を有し、
（Ｂ）  ストッパ（３４）と、
前記ストッパは、前記第１リンク（３８）が貫通できる第１貫通ホール（８４）と、前記第１リンク（３８）を第１貫通ホール（８４）にロックする解放可能なロック手段（４２）と、前記第１リンク（３８）の端部の内の一方の端部を固定する固定手段（４４）とを有し、
（Ｃ）  前記取り付け第１固定ポイント（４８）が取り付けられる固定要素（５０、６４）と
を有し、
前記第１リンク（３８）は、
（ｉ）  前記固定手段（４４）を用いて、前記取り付け第２固定ポイント（５４）により、一方で前記ストッパ（３４）に固定され、他方で、前記第１貫通ホール（８４）に係合し、
（ｉｉ）  可変のロック用ポイント（４６）で、前記ロック手段（４２）によりロックされるか、又は前記ロック手段（４２）が解放された時にその中をスライドし、
（ｉｉｉ）  前記取り付け第２固定ポイント（５４）と可変ロック用ポイント（４２）との間の中間部分に配置された取り付け可変ポイント（５６）を有し、
前記ロック手段（４２）は、前記第１リンク（３８）の端部に適合できるよう、第３ホール（９４）と端部部分（９８）とを有し、
前記第３ホール（９４）と前記端部部分（９８）とは、前記第３ホール（９４）の内側で、前記端部部分（９８）を半径方向と軸方向に拡張する配置手段（９６、９９）を具備する
ことを特徴とするブレスレット又はリストバンド。
【請求項２】
前記配置手段（９６、９９）は、
前記第３ホール（９４）の底部で拡がる環状溝（９６）と、
前記端部部分（９８）の端部に配置される肩部（９９）と
から構成される
ことを特徴とする請求項１記載のブレスレット又はリストバンド。
【請求項３】
前記固定要素（６４）は、
前記取り付け第１固定ポイント（４８）と、
前記取り付け可変ポイント（５６）とを取り付ける手段と
を有する
ことを特徴とする請求項１−２のいずれかに記載のブレスレット又はリストバンド。
【請求項４】
第２リンク（３６）を更に有し、
前記第２リンク（３６）は、前記第１リンク（３８）に前記取り付け可変ポイント（５６）により固定され、これにより、前記第１リンク（３８）と前記第２リンク（３６）とは、相対的にスライド可能である
ことを特徴とする請求項１−２のいずれかに記載のブレスレット又はリストバンド。
【請求項５】
前記第２リンク（３６）は、前記第１リンク（３８）と共に、前記取り付け可変ポイント（５６）で、平坦なノットを形成する
ことを特徴とする請求項４記載のブレスレット又はリストバンド。
【請求項６】
前記第２リンク（３６）は、その２つの端部に、２個の取り付け固定ポイントを有する
ことを特徴とする請求項４−５のいずれかに記載のブレスレット又はリストバンド。
【請求項７】
留め金（１８）をさらに有し、
前記第２リンク（３６）の端部は、前記留め金（１８）に固定される
ことを特徴とする請求項４−６のいずれかに記載のブレスレット又はリストバンド。
【請求項８】
第３リンク（２０）をさらに有し、
前記第３リンク（２０）は、前記留め金（１８）への取り付けポイントを有する
ことを特徴とする請求項７記載のブレスレット又はリストバンド。
【請求項９】
前記第１リンク（３８）は、時計のケース（１０）に、取り付け第１固定ポイント（４８）により固定要素（５０）を用いて、固定され、
前記第３リンク（２０）は、前記ケース（１０）に、接続部品（２２）を用いて、固定され、これにより、腕時計を形成する
ことを特徴とする請求項８記載のブレスレット又はリストバンド。
【請求項１０】
（Ａ）  ボディ（６６）と、
前記ボディは、軸ＢＢを有する第１貫通ホール（８４）を具備し、この第１貫通ホール（８４）を第１リンク（３８）が貫通し、
（Ｂ）  前記第１リンク（３８）を、前記第１貫通ホール（８４）内にロックする解放可能なロック手段（４２、７２）と、
（Ｃ）  前記第１リンク（３８）の端部を固定する固定手段（４４、９４）と
を有し、
前記固定手段（４４）は、底のある第３ホール（９４）と、前記第１リンク（３８）の端部に適合する端部部分（９８）とを有し、
前記第３ホール（９４）と前記端部部分（９８）とは、前記第３ホール（９４）の内側で、前記端部部分（９８）を半径方向と軸方向に拡張する配置手段（９６、９９）を具備する
ことを特徴とするブレスレット又はリストバンド用のストッパ。
【請求項１１】
前記配置手段（９６、９９）は、前記第３ホール（９４）の底部で延びる環状溝（９６）と、前記端部部分（９８）の端部に配置される肩部（９９）とから構成される
ことを特徴とする請求項１０記載のストッパ。
【請求項１２】
前記ロック手段（４２）は、ハウジング（７８）と、ピストン（７２）と、スプリング（９０ａ、９０ｂ）とを有し、
前記ピストン（７２）は、前記ハウジング（７８）内で所定距離移動し、軸ＢＢに平行な軸を有する第２ホール（８６）が開けられ、
前記スプリング（９０ａ、９０ｂ）は、前記ピストン（７２）に当接し、前記ピストン（７２）を前記ハウジングから押し出すような力をかけ、
前記第２ホール（８６）は、前記ピストン（７２）の移動点の１点上で、前記第１貫通ホール（８４）と同軸となる
ことを特徴とする請求項１０−１１のいずれかに記載のブレスレット又はリストバンド用のストッパ。
【請求項１３】
前記ロック手段は、ハウジング（１００）と、ピストン（１０２）と、スプリング（１０４）とを有し、
前記ピストン（１０２）は、前記ハウジング（１００）内で所定距離移動し、軸ＢＢに平行な軸を有する中空部分（１１８）を有し、
前記スプリング（１０４）は、前記ピストン（１０２）に当接し、前記ピストン（１０２）を前記ハウジング（１００）から押し出すような力をかけ、
前記中空部分（１１８）は、前記ピストン（１０２）の移動点のある点で、前記第１貫通ホール（８４）を閉じ、前記ピストン（１０２）の移動点の他点で、前記軸ＢＢと同軸になる
ことを特徴とする請求項１０−１２のいずれかに記載のブレスレット又はリストバンド用のストッパ。
【発明の詳細な説明】
【技術分野】
【０００１】
本発明は、時計あるいは宝飾品に関し、特に、連続的に長さ調整が可能なブレスレット／リストバンドに関する。
【背景技術】
【０００２】
時計および宝飾品においては、ブレスレット／リストバンドの長さは、非連続的な方法でしか調整可能ではない。例えば、レザー（皮革）製の時計のバンドにおいては、わずかな数の固定／取付ポイントがあるだけである。ヒンジ留めされるか否かを問わず、リンクを具備する金属製のブレスレットにおいては、時計のバンドあるいは宝飾品のブレスレットのいずれでも、その長さはリンクの幅に対応する段階でのみ変更可能である。ブレスレット／リストバンドの長さを微細に調整することは、不可能である。
【０００３】
上記の問題点に対する解決方法は、ブレスレット／リストバンドに、リンクの有効長さを調整できるシステムを具備したリンクを導入することである。ブレスレットは、その全体あるいは一部のみがリンクを構成する。調整システムは、例えばスポーツ用品（例えば、寝袋、ダブル・バッグ、全天候性衣服）で使用されるストッパにより形成される。この種のストッパは、特許文献１に開示されている。
【特許文献１】特開平１０−４２９２７号公報
【０００４】
従来、ストッッパを用いたリンクの有効長さを調整する２つの構成が、採用されている。図１ａに示す第１の構成においては、ストッパは、２個の端部の間に配置されたループの形態でリンクの一部を摘み出し（取り除い）ている。リンクの有効長さは、端部とストッパの間の部分の長さの和に等しい。図１ｂに示す第２の構成においては、ストッパは、端部と最も近いストッパとの間に配置された２個のリンク部分を摘み出している。このリンクの有効長さは、２個のストッパの間の部分の長さに等しい。
【０００５】
どちらの構成もリンクの有効長さを調整するために採用されているが、少なくとも１つのリンク部分がつまみ出され、好ましくない方法で引っかけられて、平らでない表面に引っ掛かりやすい。
【発明の開示】
【発明が解決しようとする課題】
【０００６】
本発明は、連続的に調整可能な時計あるいは宝飾品用のブレスレットを提供することにより、上記問題を解決する。本発明のブレスレットは、リンクとストッパとを有し、このストッパが、可変リンクの有効長さを規定し、リンクのどの部分もつまみ出すことはない。
【課題を解決するための手段】
【０００７】
より正確には、本発明は、長さ調整が可能なブレスレット／リストバンドに関し、このブレスレット／リストバンドは、第１リンクと、前記第１リンクは、取り付け第１固定ポイントと取り付け第２固定ポイントとを規定する２個の端部を有し、ストッパと、前記ストッパは、前記第１リンクが貫通できるホールと、前記リンクをホールにロックする解放可能なロック手段と、前記第１リンクの端部の内の一方の端部を固定する固定手段とを有し、前記取り付け第１固定ポイントに関連する固定要素とを有し、前記リンクは、前記固定手段で前記取り付け第２固定ポイントにより、一方で前記ストッパに固定され、他方で前記ホールに係合し、可変のロック用ポイントに、前記ロック手段によりロックされるか、または前記ロック手段が解放された時に、その中にスライドし、前記取り付け第２固定ポイントと可変ロック用ポイントとの間の中間部分に配置された取り付け可変ポイントを有する。
【０００８】
取り付け手段がストッパ上に存在するために、またリンクをストッパに配置することができるために、リンクの有効長さは、連続的に１．５倍まで調整可能である。
【０００９】
また、本発明は、ボディと、前記ボディは、軸ＢＢを有する第１貫通ホールを具備し、この第１貫通ホールをリンクが貫通し、前記リンクを第１貫通ホール内にロックする解放可能なロック手段と、リンクの端部を固定する固定手段とを有するストッパに関する。
【実施例】
【００１０】
図２ａ、２ｂに示す腕時計は、従来と同様に、ケース１０と、時計を腕に付ける時計バンド１２とを有する。時計バンド１２は、固定長さのバンド（ストランド）１４と、長さ調節が可能なバンド（ストランド）１６と、留め金１８とから構成される。各バンド（ストランド）１４、１６は、一端はケース１０に、他端は留め金１８に結合される。留め金１８は、折り返しタイプではないが、別の変形例では、２個の部品から構成することもできる。
【００１１】
バンド１４は、リンク２０から形成される。このリンク２０は、例えば金属ケーブル、コードまたはレザー製ストラップであり、折り曲げられてＵ字型を形成し、その両端は留め金１８に、そして湾曲した（Ｕ字型）部分は、ケース１０に取り付けられる。このために、接続部品２２は、湾曲管状部分２４を含み、ケース１０にヒンジ２６を用いてヒンジ止めされる。リンク２０は、その中間部分が、湾曲管状部分２４内に通される。さらに、留め金１８は、２個の円筒形状のハウジング２８、３０を有し、その中にリンク２０の端部が摩擦固定される。２個の貫通ホールを有する要素部品３２が、ほぼ中央部分でリンク２０に搭載されて、リンク２０により形成されたＵ字型の２つのブランチを近接し且つほぼ平行状態に保持する。リンク２０の有効長さは、その全長の半分に等しい。
【００１２】
バンド１６は、その長さを調節するストッパ３４とリンク３６、３８とを有する。リンク３６、３８は、相対的なスライド動作が可能となるよう互いに固定される。ストッパ３４は、従来と同様に、リンクが通過するホール４０と、リンクをロックする解放可能なロック手段４２とを有する。ストッパ３４は、一方のリンク端部を固定する固定手段４４を有する。ストッパ３４を図７、８を用いて詳細に説明する。
【００１３】
リンク３６は、２つに折り曲げられてＵ字型を形成し、その端部はリンク２０と同様に留め金１８に固定される。リンク３８の有効長さは一定でその全長の半分に等しい。
【００１４】
リンク３８も、２つに折り曲げられてＵ字型を形成し、一方のブランチは他方のブランチよりも長い。長い方のブランチは、ストッパ３４のホール４０に係合／を貫通し、ロック用ポイント４６は、ロック手段４２が機能するリンク３８上の場所として規定される。長い方のブランチの端部は、ケース１０に固定されて、リンク３８の取り付け第１固定ポイント４８を形成する。このため、ケース１０は、円筒状ハウジング５２を具備する固定要素５０を有する。円筒状ハウジング５２に長い方のブランチの端部が固定される。短い方のブランチの端部は、ストッパ３４に固定手段４４で固定されて、リンク３８の取り付け第２固定ポイント５４を形成する。
【００１５】
リンク３６と、ロック用ポイント４６と取り付け第２固定ポイント５４の間に含まれるリンクの部分３８は、絡み合わされて（結ばれて）、リンク３８の取り付け可変ポイント５６を形成する極めてルーズで平坦なノット（結び目）を形成する。かくして、リンク３６とリンクの部分３８は、固定されるが、互いに自由にスライドする。
【００１６】
リンク３８の有効長さは、長い方のブランチの長さに等しい。すなわち、リンク３８の取り付け第１固定ポイント４８と取り付け可変ポイント５６との間の長さに等しい。この長さは、ストッパ３４により可変となる。実際に、その長さは、リンク３８の全長からその半分まで変わり、これは、如何なるリンク部分も摘まずに、行われる。
【００１７】
時計バンド１２とケース１０から構成された時計が、従来と同様に手首に巻かれるが、これは、留め金１８を開閉することにより行われる。その長さは、リンク３８に関連するストッパ３４により調整される。ストッパ３４用のロック手段４２が活性化されると、時計バンド１２の長さは、リンク３８の有効長さにより決められ、一定である。ストッパ３４用のロック手段４２が解放されると、リンク３８は、ホール４０内をスライドし、ロック用ポイント４６の位置とリンク（部分）３８の有効長さを変化させる。リンク３８は、リンク３６に対しては、取り付け可変ポイント５６でスライドし、リンク３８の有効長さは連続的に変化する。本発明のリストバンドまたはブレスレットの長さは、かくしてごく簡単な方法で微細に調整することができる。
【００１８】
図３に示す腕時計の第２実施例においては、リンク３６は存在せず、ストッパ３４と共にリンク３８が、バンド１６を形成する。前述したように、リンク３８は、取り付け第１固定ポイント４８を形成する一方の端部を介してケース１０に固定される。さらにまた、取り付け可変ポイント５６を介して、留め金１８に取り付けられる。このために、留め金１８は、管状部分５８を有し、この管状部分５８内にリンク３８が入り込み、その中を自由にスライドできる。かくして、リンク３８の長さが調整されると、リンク３８は、管状部分５８内をスライドし、その有効長さは、連続的に変化できる。
【００１９】
図４に示す腕時計の第３実施例が、図２ａ、２ｂに示す実施例と異なる点は、リンク２０と留め金１８が、時計バンド１２には存在しないことである。この実施例においては、リンク３６は、２つに折り曲げられてＵ字型を形成し、その端部を介してケース１０に固定される。このために、ケース１０は、２個の円筒状ハウジング６０、６２を具備し、その中にリンク３６の端部がきっちりと適合する。リンク３６と、ロック用ポイント４６と取り付け第２固定ポイント５４の間のリンク部分３８は、組み合わされて、リンク３８用の取り付け可変ポイント５６を形成する極めてルーズな平坦なノット（結び目）を形成する。リンク３６とリンク部分３８は、互いに自由にスライドしながら、固定される。この実施例の腕時計によれば、留め金１８が存在しないために、時計バンド１２の最大長さは、腕時計を付けるために手首がそこを通過できるような長さでなければならない。逆に、時計バンド１２は、使用者の手首を巻くことができる短さにならなければならない。リンク３６とリンク部分３８は、その長さは調整可能であり、かくして手首のサイズに応じて長さを変えることができる。
【００２０】
最後に、図５に示す第４実施例において、時計バンド１２は、調整可能なリンク３８のみから構成される。前の実施例と同様に、リンク３８は、取り付け第１固定ポイント４８を形成する端部を介して、ケース１０に固定される。さらに、取り付け可変ポイント５６を介して、ケース１０に接続部品２２で固定される。第２実施例と同様に、リンク３８は、利用者の手首がそこを通過でき、且つ時計バンド１２が手首に締め付けられるような長さでなければならない。
【００２１】
図６は、それ自身のみ閉じるリンク３８のみからなる装飾用ブレスレットを示す。リンク３８のロック用ポイント４６は、リング６４を具備し、リング６４内を、ロック用ポイント４６と取り付け第２固定ポイント５４の間の部分が通過する。リング６４は、ブレスレットを開閉する留め金で形成することもできる。
【００２２】
ブレスレットあるいは時計バンド１２のどの実施例が、腕時計用あるいは宝飾品の一部として用いられても、ストッパ３４に関連するリンク３８は、３個の取り付けポイントを有する。その内、取り付け第１固定ポイント４８と取り付け第２固定ポイント５４は、固定され、リンク３８の両端部に対応する。第３の取付ポイントである取り付け可変ポイント５６は、リンク３８上で決まった位置を占めず、リンク３８の有効長さに応じて変わる。取り付け可変ポイント５６は、ロック用ポイント４６とストッパ３４の間の中間点になる。
【００２３】
さらに、時計バンド１２の実施例はどのようなものであろうとも、使用されるストッパは、一つのリンク端部を固定する手段を有しなければならない。ストッパの実施例を２つ図７、８を参照して以下説明する。
【００２４】
図７ａ、７ｂ、７ｃ、７ｄに示された第１実施例のストッパは、従来と同様に、ボディ６６とピストン７２とを有する。ボディ６６は、２個のシェル６８ａ、６８ｂから構成され、ネジ部材７０ａ、７０ｂで組み立てられる。ピストン７２は、肩部７４を具備する。シェル６８ａ、６８ｂは、２個のリセス７６ａ、７６ｂを有し、それらが一体となって長手方向軸ＡＡのハウジング７８を規定する。ハウジング７８の底部を延びる溝８０が、停止部材８２を形成する。ピストン７２がハウジング７８内を平行移動するよう搭載され、肩部７４が、溝８０内に収納される。その移動距離は、一端はハウジング７８の底部により、他端は停止部材８２により規定される。停止部材８２に肩部７４が当たる。長手方向軸ＡＡに直交する対称軸ＢＢを有する第１ホール８４が、ハウジング７８の高さ方向で、ボディ６６を貫通する。軸ＢＢに平行な対称軸ＣＣを有する第２ホール８６は、ピストン７２を貫通し、その結果、第１ホール８４と第２ホール８６が、ピストン７２の移動区間の一点で同軸となる。２個のキャビティ８８ａ、８８ｂが、ハウジング７８の底部に形成され、２個のスプリング９０ａ、９０ｂの収納空間として機能する。このスプリング９０ａ、９０ｂは、ピストン７２の底部に当たる。ピストン７２は、ハウジング７８とスプリング９０ａ、９０ｂと共に、解放可能なロック手段４２を形成する。
【００２５】
ストッパが静止位置にある時には、スプリング９０ａ、９０ｂは、力をピストン７２に掛け、ピストン７２がハウジング７８から押し出されるようになる。ピストンは、停止部材８２に当たると、第１ホール８４第２ホール８６は、その中心が合わない。ピストン７２に力が掛かることによりスプリング９０ａ、９０ｂを圧縮し、第１ホール８４第２ホール８６の中心を一致させる。第１ホール８４第２ホール８６の直径に等しい直径のリンクが、ホール８４、８６に自由に係合することも可能である。圧力が解放されると、スプリング９０ａ、９０ｂによりかかっていた力は、押し戻されることなく、ピストンは再びハウジング７８の外側に押し出される。第１ホール８４第２ホール８６は、中心がずれるよう動き、その結果、ピストン７２とボディ６６は、剪断方向の力をリンクにかける。この剪断方向の力により、リンクはホール８４内でロックされる。
【００２６】
シェル６８ａ、６８ｂは、半円形のリセス９２ａ、９２ｂを有し、これらが一体になって、軸ＢＢ、軸ＣＣに平行な軸ＤＤを有する円筒状ホール９４を形成する。円筒状ホール９４の底部は、円形溝９６から形成される。リンクの端部に適合する端部９８は、円筒状ホール９４内に収納される。かくして、端部９８は、肩部９９を具備した円筒部品から形成される。肩部９９は、円形溝９６内で軸方向且つ半径方向に拡大して配置される。円筒状ホール９４により、端部９８は固定手段４４を形成する。
【００２７】
本発明のストッパの第２実施例を図８ａ、８ｂ、８ｃ、８ｄに示す。このストッパが前述したストッパと異なる点は、ロック手段４２の相違である。このロック手段４２は、ハウジング１００と、ハウジング１００内を移動するピストン１０２と、スプリング１０４とから形成される。ハウジング１００は、軸ＥＥを有する第１ハウジング部分１０６を有する。この軸ＥＥは、シェル６８ａ内に形成された第１ホール８４の軸ＢＢに直交する。第２部分１１０は、シェル６８ｂ内を、軸ＥＥと軸ＢＢに直交して、第１ハウジング部分１０６と第１ホール８４の間を延びる。ピストンは、第１ハウジング部分１０６内に収納される円筒状要素１１２と、第２部分１１０内に収納される並行パイプ状要素１１４とから構成される。要素１１２、１１４は、ネジ部材１１６を用いて固定される。並行パイプ状要素１１４は、中空部分１１８を有する。この中空部分１１８は、並行パイプ状要素１１４がシェル６８ａに当たった時に、軸ＢＢに対しずれた軸ＦＦを有する円筒部分を形成する。並行パイプ状要素１１４は、それがシェル６８ａに当たった時には、ハウジング１００で第１ホール８４を少し閉じる。
【００２８】
スプリング１０４は、円筒状要素１１２に圧縮状態で搭載される。このために、第１ハウジング部分１０６と円筒状要素１１２は、それぞれ肩部１２０と１２２とを有する。これらは、互いに対向して配置された２個の停止部材を形成し、その間にスプリング１０４が圧縮配置される。
【００２９】
ピストン１０２にかかる力がなくなると、スプリング１０４は、圧縮されているが、力をピストン１０２にかけて、ピストン１０２をハウジング１００から押し出すようにする。並行パイプ状要素１１４がシェル６８ａに押しつけられると、第１ホール８４は少し閉じる。逆に、ピストン１０２に力がかかる（押される）ことにより、さらにスプリング１０４を圧縮し、並行パイプ状要素１１４をシェル６８ａから離す方向に移動させる。第１ホール８４が解放され、第１ホール８４の直径に等しい直径を有するリンクが、そこに係合する。ピストン１０２にかかる力がなくなる、スプリングが、再び並行パイプ状要素１１４をシェル６８ａに押しつける。その後、並行パイプ状要素１１４は、圧縮力をリンクにかけ、リンクを第１ホール８４内にロックする。
【００３０】
前述したストッパと同様に、この第２実施例のストッパは、リンク・エンドを固定する固定手段４４を有する。この固定手段４４は、例えば前述したタイプのもの、あるいは他の固定手段も当業者には容易に想到することができる。
【００３１】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３２】
【図１ａ】従来技術のストッパの第１の構成を示す図。
【図１ｂ】従来技術のストッパの第２の構成を示す図。
【図２ａ】本発明のブレスレット／リストバンドを有する時計の斜視上面図。
【図２ｂ】本発明のブレスレット／リストバンドを有する時計の斜視下面図。
【図３】本発明の時計バンドの第２実施例を表す図。
【図４】本発明の時計バンドの第３実施例を表す図。
【図５】本発明の時計バンドの第４実施例を表す図。
【図６】本発明の装飾用ブレスレットの斜視図。
【図７ａ】本発明の第１実施例によるストッパの上面図。
【図７ｂ】図７ａの線Ａ−Ａで切断した断面図。
【図７ｃ】図７ａの線Ｄ−Ｄで切断した断面図。
【図７ｄ】図７ａの線Ｂ−Ｂで切断した断面図。
【図８ａ】本発明の第２実施例によるストッパの上面図。
【図８ｂ】図８ａの線Ａ−Ａで切断した断面図。
【図８ｃ】図８ａの線Ｄ−Ｄで切断した断面図。
【図８ｄ】図８ａの線Ｂ−Ｂで切断した断面図。
【符号の説明】
【００３３】
１０  ケース
１２  時計バンド
１４  バンド
１６  バンド
１８  留め金
２０  リンク
２２  接続部品
２４  湾曲管状部分
２６  ヒンジ
２８，３０  円筒状ハウジング
３２  要素部品
３４  ストッパ
３６  リンク
３８  リンク
４０  ホール
４２  ロック手段
４４  固定手段
４６  ロック用ポイント
４８  取り付け第１固定ポイント
５０  固定要素
５２  円筒状ハウジング
５４  取り付け第２固定ポイント
５６  取り付け可変ポイント
５８  管状部分
６０，６２  円筒状ハウジング
６４  リング
６６  ボディ
６８ａ、６８ｂ  シェル
７０ａ、７０ｂ  ネジ部材
７２  ピストン
７４  肩部
７６ａ、７６ｂ  リセス
７８  ハウジング
８０  溝
８２  停止部材
８４  第１ホール
８６  第２ホール
８４，８６  ホール
８８ａ、８８ｂ  キャビティ
９０ａ、９０ｂ  スプリング
９２ａ，９２ｂ  リセス
９４  円筒状ホール
９６  円形溝
９８  端部
９９  肩部
１００  ハウジング
１０２  ピストン
１０４  スプリング
１０６  第１ハウジング部分
１１０  第２部分
１１２  円筒状要素
１１４  並行パイプ状要素
１１２，１１４  要素
１１６  ネジ部材
１１８  中空部分
１２０，１２２  肩
【図１ａ】
0005159130.tif 000002
【図１ｂ】
0005159130.tif 000003
【図２ａ】
0005159130.tif 000004
【図２ｂ】
0005159130.tif 000005
【図３】
0005159130.tif 000006
【図４】
0005159130.tif 000007
【図５】
0005159130.tif 000008
【図６】
0005159130.tif 000009
【図７ａ】
0005159130.tif 000010
【図７ｂ】
0005159130.tif 000011
【図７ｃ】
0005159130.tif 000012
【図７ｄ】
0005159130.tif 000013
【図８ａ】
0005159130.tif 000014
【図８ｂ】
0005159130.tif 000015
【図８ｃ】
0005159130.tif 000016
【図８ｄ】
0005159130.tif 000017